(57)【特許請求の範囲】
【請求項１】
口頸部を有する容器本体と、定量振出キャップとからなる定量振出容器であって、
定量振出キャップは、
下方大径のテーパ状筒(２)下端から垂下筒(３)を垂下して、該垂下筒下端から外向きフランジ(７)を介して起立筒(５)を起立させたキャップ本体(１)と、該キャップ本体を閉蓋する蓋(１０)とを備え、
該蓋(１０)は蓋本体(１１)と、該蓋本体の上面を開閉自在な蓋板(２０)とを備え、
前記蓋本体(１１)は前記起立筒(５)上部へ、上面が天板(１３)で閉塞された嵌合筒(１２)を嵌合させて、前記天板(１３)から計量筒(１４)を垂下すると共に、該計量筒(１４)と前記嵌合筒(１２)との間の天板(１３)部分に振出孔(１５)を備え、
前記蓋板(２０)は栓筒(２２)を垂下して前記振出孔(１５)へ嵌合させるとともに、
前記テーパ状筒(２)の上部を前記計量筒(１４)内へ偏心させて遊挿させてなり、
前記キャップ本体(１)の垂下筒(３)を容器本体の口頸部(３１)外面へ螺合させると共に、前記テーパ状筒(２)の下端部内面に環状突条(４)を設けて、該環状突条を前記容器本体の口頸部(３１)上端面へ載置させたことを特徴とする定量振出キャップを備えた定量振出容器。
【請求項２】
前記嵌合筒(１２)を凹凸の係合手段を介して前記起立筒(５)の上部内面へ嵌合させると共に、該嵌合筒(１２)の上面開口を閉塞する前記天板(１３)の周縁部を前記起立筒(５)上端面へ載置させたことを特徴とする請求項１記載の定量振出キャップを備えた定量振出容器。
【発明の詳細な説明】
【技術分野】
【０００１】
本発明は、容器体の粉体を定量振出し可能な定量振出キャップを備えた定量振出容器に関する。
【背景技術】
【０００２】
粉体を一定量振出可能な容器として、容器体の口頸部を閉蓋する蓋から計量筒を垂下すると共に、口頸部内へ嵌合させた嵌着筒の底壁中央部から起立するテーパ筒上端部を計量筒中央部内へ遊挿させ、容器体倒立でテーパ筒を介して容器体内の粉体が計量筒内に一定量流入可能に設けておき、容器体正立で計量筒内の粉体の一部は容器体内へ戻るが、残部はテーパ筒を囲む嵌着筒内に一定量落下可能に設け、再度の容器体倒立で一定量の粉体が蓋に設けた計量振出孔から振出可能に設けた定量振出し容器が従来技術として知られている(特許文献１)。
【先行技術文献】
【特許文献】
【０００３】
【特許文献１】特開平９−１１００６３号公報
【発明の概要】
【発明が解決しようとする課題】
【０００４】
しかしながら従来技術では、上下に対向する計量筒とテーパ筒との軸線がほぼ一致しているため、容器体の倒立後、正立させた場合に、計量筒からテーパ筒を介して容器体内へ戻る粉体の量が多くならざるを得ず、このため所望の振出し量が得られないという課題があった。
【０００５】
本発明は、前記課題を解決するためになされたもので、計量筒からテーパ状筒内への粉体の戻り量を極力少なくすることが可能な定量振出キャップを備えた定量振出容器を提供することを目的とする。
【課題を解決するための手段】
【０００６】
前記課題を解決するために、本発明は、
口頸部を有する容器本体と、定量振出キャップとからなる定量振出容器であって、
定量振出キャップは、
下方大径のテーパ状筒２下端から垂下筒３を垂下して、該垂下筒下端から外向きフランジ７を介して起立筒５を起立させたキャップ本体１と、該キャップ本体を閉蓋する蓋１０とを備え、
該蓋１０は蓋本体１１と、該蓋本体の上面を開閉自在な蓋板２０とを備え、
前記蓋本体１１は前記起立筒５上部へ、上面が天板１３で閉塞された嵌合筒１２を嵌合させて、前記天板１３から計量筒１４を垂下すると共に、該計量筒１４と前記嵌合筒１２との間の天板１３部分に振出孔１５を備え、
前記蓋板２０は栓筒２２を垂下して前記振出孔１５へ嵌合させるとともに、
前記テーパ状筒２の上部を前記計量筒１４内へ偏心させて遊挿させてなり、
前記キャップ本体１の垂下筒３を容器本体の口頸部３１外面へ螺合させると共に、前記テーパ状筒２の下端部内面に環状突条４を設けて、該環状突条を前記容器本体の口頸部３１上端面へ載置させた。
【０００７】
また、本発明は、前記嵌合筒１２を凹凸の係合手段を介して前記起立筒５の上部内面へ嵌合させると共に、該嵌合筒１２の上面開口を閉塞する前記天板１３の周縁部を前記起立筒５上端面へ載置させたことを特徴とする。
【発明の効果】
【００１０】
本発明は、テーパ状筒の上部を計量筒内へ偏心させて遊挿させたので、倒立により計量筒内へ粉体を定量堆積させた後、正立させる場合の計量筒からテーパ状筒内への粉体の戻り量を極力少なくすることができ、計量し易い。
【図面の簡単な説明】
【００１１】
【図１】本発明に係る定量振出容器の断面図である。
【図２】作用説明図である。
【図３】(ａ) 計量時の倒立状態を示す作用説明図である。 (ｂ) 正立状態を示す作用説明図である。 (ｃ) 振出し時の倒立状態を示す作用説明図である。
【図４】本発明の参考例を示す図１相当図である。
【発明を実施するための形態】
【００１２】
以下、本発明の実施の形態について、図面を参照しながら詳細に説明する。
【００１３】
本発明に係る定量振出容器は、口頸部３１を有する容器本体３０と、定量振出キャップとからなる。そして定量振出キャップは、キャップ本体１と、該キャップ本体を閉蓋する蓋１０とから構成される。
【００１４】
図１に示すように、キャップ本体１は、下方大径のテーパ状筒２下端から環状突条４を介して垂下筒３を垂下すると共に、垂下筒３の下端から、下方へ傾斜する外向きフランジ７を介して起立筒５をテーパ状筒２より高く起立させ、起立筒５の上端部を拡径して大内径部６に形成する。
【００１５】
キャップ本体１を閉蓋する蓋１０は蓋本体１１と、蓋本体１１の上面(天板１３)を開閉自在な蓋板２０とから構成される。
【００１６】
蓋本体１１は起立筒５の大内径部６内へ、上面が天板１３で閉塞された嵌合筒１２をアンダーカットを介して嵌合させ、天板１３の中央部から計量筒１４を垂下して、テーパ状筒２の少なくとも上端部が計量筒１４内へ偏心状態で遊挿されるようにすると共に、計量筒１４と嵌合筒１２との間の天板１３部分に振出孔１５を形成し、さらに、天板１３の周縁部を起立筒５上端面へ載置させると共に、振出孔１５に近接する天板１３部分の周縁部に段部１６を形成している。ここで遊挿とはテーパ状筒２の外周面と計量筒１４の内周面との間に間隙が形成されるようにテーパ状筒２を計量筒１４内へ挿入することをいう。
【００１７】
蓋板２０は薄肉ヒンジ２１を介して天板１３に回動自在に連結されていて、薄肉ヒンジ２１と対向する蓋板２０部分から栓筒２２を垂下して、この栓筒を振出孔１５へ嵌合させ、さらに、栓筒２２に近接する蓋板２０の周縁部下面から摘み片２３を外方へ突設して、該摘み片を天板１３の段部１６へ嵌合させている。
【００１８】
上記構成に係る定量振出キャップは、同図に示す容器本体３０の口頸部３１へ装着させて使用される。同図に示す例では、キャップ本体１の垂下筒３内面に設けた雌ねじを口頸部３１外面の雄ねじへ螺合させることで、垂下筒３外面と起立筒５内面との間の環状の計量室Ｍを容器本体の口頸部３１の外側に位置させている。
【００１９】
このように計量室Ｍを口頸部３１の外部に位置させる場合には、環状突条４下面を口頸部３１上端へ圧接させることで粉体の漏出を防止する。
【００２０】
図４は、本発明の参考例であり、起立筒５外面に設けた雄ねじを口頸部３１内面の雌ねじへ螺合させている。この場合には起立筒５外面に設けた鍔部３５を口頸部３１上端へ圧接させることで粉体の漏出を防止する。
【００２１】
図１に示すように、テーパ状筒２の軸線Ｘは計量筒１４の軸線Ｏに対し振出孔１５の軸線Ｙから離れる方向へ偏心しており、したがって、振出孔１５に近い側のテーパ状筒２の母線２ａの勾配は振出孔１５から遠い側の母線２ｂの勾配より小さくなっている。言い換えれば、テーパ状筒２の上面を下面に対して振出孔１５から離れる方向へ平行移動させることで同図に示す偏心状態が形成される。このようにテーパ状筒２を計量筒１４に対し偏心させる理由は、倒立させた後、正立させる際の計量筒１４からテーパ状筒２内への粉体の戻り量を少なくさせるためである。
【００２２】
すなわち、図２に示すように、容器本体の倒立後、蓋板２０の薄肉ヒンジ２１側が振出孔１５より上方になるように容器本体を正立方向(図２において時計方向)へ回動させると、計量筒１４内の粉体はテーパ状筒２の傾斜が緩やかな面(母線２ａを含む面)に沿って流出し易く、このため計量筒１４からの粉体の戻り量を少なくすることができる。したがって、テーパ状筒２は計量筒１４と干渉しない範囲で振出孔１５からできるだけ離れていれば粉体の戻り量を減少させる効果が大である。なお、図1においてテーパ状筒２の高さは、倒立時における計量筒１４内への粉体の堆積量をできるだけ多くする観点からテーパ状筒２の上面は計量筒１４の下面より僅かに高い程度にする。
【００２３】
次に作用について説明する。
容器本体内の粉体を振出す場合には、図３(ａ)に示すように、開蓋状態で容器本体を倒立させればよく、すると粉体がテーパ状筒２を介して計量筒１４内へ流入し、計量筒１４内の粉体の堆積量がテーパ状筒２の開口面とほぼ同一高さになったところで計量筒１４内への粉体の流入は停止する。
【００２４】
次いで、図３(ｂ)に示すように、容器本体を正立させると、計量筒１４内の粉体は計量室Ｍ内へ落下して堆積するが、一部はテーパ状筒２を介して容器本体内へ戻る。テーパ状筒２は計量筒１４に対して偏心していることからこの粉体の戻り量が抑制されることは上述の通りである。
【００２５】
粉体を振出すには、図３(ｃ)に示すように、容器本体を再度倒立させればよく、すると計量室Ｍ内に堆積した粉体は振出孔１５から振出される。
【産業上の利用可能性】
【００２６】
本発明は容器体の粉体を定量振出し可能な容器の分野に利用することができる。
【符号の説明】
【００２７】
１  キャップ本体
２  テーパ状筒
３  垂下筒
５  起立筒
７    外向きフランジ
１０  蓋
１１  蓋本体
１２  嵌合筒
１３  天板
１４  計量筒
１５  振出孔
２０  蓋板
２２  栓筒
３０  容器本体
３１  口頸部
Ｍ  計量室
【図１】
0005751957.tif 000002
【図２】
0005751957.tif 000003
【図３】
0005751957.tif 000004
【図４】
0005751957.tif 000005